(57)【要約】【課題】コンバインやハーベスタ等に搭載される脱穀機の送風ファンと、この送風ファンを覆うファンケースの組付けやメンテナンス作業の容易化と、当該送風ファンによる脱穀機内への安定した選別風の供給を図る。【解決手段】脱穀機１１の機枠１１ｂ，１１ｂに送風ファン１７を着脱可能に軸支し、該送風ファン１７の半分を脱穀機１１の側壁１１ａ，１１ａ内に入り込ませる共に、当該送風ファン１７の他半分を覆うファンケース３２の左右両端に、ベルマウス状の内周縁３４ａを備える吸風口Ｂを形成した。【選択図】図２
2006304672.tif 000002
【特許請求の範囲】
【請求項１】
扱室（１３）で脱穀した脱穀物を、扱室（１３）の下方に設けた揺動選別体（１６）と送風ファン（１７）により選別する脱穀機（１１）において、該脱穀機（１１）の機枠（１１ｂ，１１ｂ）に送風ファン（１７）を着脱可能に軸支し、該送風ファン（１７）の半分を脱穀機（１１）の側壁（１１ａ，１１ａ）内に入り込ませる共に、当該送風ファン（１７）の他半分を覆うファンケース（３２）の左右両端に、ベルマウス状の内周縁（３４ａ）を備える吸風口（Ｂ）を形成したことを特徴とする脱穀機。
【発明の詳細な説明】
【技術分野】
【０００１】
本発明は、コンバインやハーベスタ等に搭載される脱穀機の送風ファン（唐箕ファン）を覆うファンケースの構造に関する
【背景技術】
【０００２】
従来、コンバインに搭載される脱穀機の送風ファンは、４枚程度の羽根板を放射状に回転軸に固定した唐箕方式のファンを採用している。そして、送風ファンを覆うファンケースの左右両側を、脱穀機の側壁に設けた送風ファンの回転外径よりも大きな四角形のファン挿入孔で形成し、このファン挿入孔から送風ファンを挿脱可能に構成して、送風ファンの組付けやメンテナンス作業を行うことができるように構成すると共に、前記ファン挿入孔から送風ファンを挿入して左右の軸受板に軸支した後、あたかも円形のベルマウスを４分割した形状を有する吸風板でファン挿入孔の四隅を塞ぐことによって、当該ファン挿入孔よりも小径な吸風口を形成し、以って送風ファンの回転時における吸風口から送風ファン中心部に向けての外気の吸引を円滑に行なうとともに、前記羽根板の両外周部分を閉塞して送風の漏れ出しを防止するように構成したものが知られている（例えば、特許文献１参照。）。
【特許文献１】特開平１１−２６２３２６号公報（第２−３頁、図２−図４）
【発明の開示】
【発明が解決しようとする課題】
【０００３】
しかし、上述した従来のものでは、送風ファンを覆うファンケースの左右両側を、脱穀機の側壁に設けた送風ファンの回転外径よりも大きな四角形のファン挿入孔で形成しなければならず、更にこのファン挿入孔の四隅を塞ぐための４分割された吸風板も必要であることからコスト高となり、また送風ファンの組付けやメンテナンス作業において、ファン挿入孔から送風ファンを挿脱する際には、当該送風ファンを軸支する左右の軸受板や４分割された吸風板を着脱しなければならないので面倒であった。
【課題を解決するための手段】
【０００４】
本発明は、上記課題を解決することを目的としたものであって、扱室で脱穀した脱穀物を、扱室の下方に設けた揺動選別体と送風ファンにより選別する脱穀機において、該脱穀機の機枠に送風ファンを着脱可能に軸支し、該送風ファンの半分を脱穀機の側壁内に入り込ませる共に、当該送風ファンの他半分を覆うファンケースの左右両端に、ベルマウス状の内周縁を備える吸風口を形成したことを特徴としている。
【発明の効果】
【０００５】
本発明によれば、脱穀機の機枠に送風ファンを着脱可能に軸支し、該送風ファンの半分を脱穀機の側壁内に入り込ませることによって、脱穀機の側壁に従来のような送風ファンの挿入孔を形成しなくて済み、また送風ファンの組付けやメンテナンス作業を行う時、当該送風ファンを脱穀機の前方側から容易に着脱することができるので、脱穀機の製作コストの低減と送風ファンの組付けやメンテナンス作業の作業性の向上が図れる。
【０００６】
更に、送風ファンの他半分を覆うファンケースの左右両端に、ベルマウス状の内周縁を備える吸風口を形成したので、この吸風口から送風ファンの中心部に向けて吸引された選別風の一部が、当該吸風口から再び漏れ出すことを前記ベルマウス状の内周縁によって防止することができ、脱穀機内への安定した選別風の供給がなされるようになる。
【発明を実施するための最良の形態】
【０００７】
次に、本発明の実施の形態を図面に基づいて説明する。図１は、コンバインやハーベスタ等に搭載される脱穀機１１の側面図であって、この脱穀機１１は、フィードチェン１２によって穀稈の株元側を挟持しながら、扱室１３内において回転駆動する扱胴１４で穀稈の穂先部を脱穀すると共に、その下方の受網１５を漏下した脱穀物を一番物・二番物・排ワラ屑等に選別する揺動選別体１６を、当該脱穀機１１の左右の側壁１１ａ，１１ａ間に前後揺動可能に支持している。
【０００８】
そして、揺動選別体１６の下方には、送風ファン１７、一番流板等からなる選別風路１８を形成してあり、前後揺動する揺動選別体１６に向く下方からの選別風Ａによって一番物を風選すると共にストローラック１９上の二番物を風選し、このストローラック１９で選別分離した夾雑物を機外へ放出するように構成している。
【０００９】
尚、一番樋２１に落下した一番物（穀粒）は、図示しない揚穀筒を介して穀粒タンクに揚上搬送されると共に、二番樋２２に落下した二番物は、この二番樋２２の移送終端に併設したスロワー２３によって揺動選別体１６上に還元されるようになっている。
【００１０】
次に、上述した送風ファン１７について説明する。送風ファン１７は、図２に示すように、回転軸２５に支持アーム２６を介して放射状に等間隔の３枚の羽根板２７を固設すると共に、当該回転軸２５の左右両端部を脱穀機１１の左右の機枠１１ｂ，１１ｂにホルダ２８を介して着脱可能に軸支している。
【００１１】
そして、送風ファン１７の半分（後側）を、脱穀機１１の左右の側壁１１ａ，１１ａ内に入り込ませる共に、当該送風ファン１７の他半分（前側）を覆う側面視で半円弧状のファンケース３２を、脱穀機１１の左右の機枠１１ｂ，１１ｂに螺設できるように構成している。
【００１２】
更に詳しくは、ファンケース３２は、図３及び図４に示すように、側面視で半円弧状且つ脱穀機１１と略同幅に形成した本ケース３２ａを備え、この本ケース３２ａの左右両端の内周側に、脱穀機１１の左右の機枠１１ｂ，１１ｂへの取付部３３ａ，３３ｂを設けた側面視でＣの字状の鍔部３３を固設すると共に、送風ファン１７の回転外径よりも縮径するベルマウス状の内周縁３４ａを備えたＣの字状の縁部材３４を、前記鍔部３３に複数のリベット３５を用いて鋲着している。
【００１３】
即ち、上述した構成によれば、脱穀機１１の左右の機枠１１ｂ，１１ｂに螺設したファンケース３２の左右両端に、ベルマウス状の内周縁３４ａを備える半円状の吸風口Ｂが形成されるので、従来のように脱穀機１１の側壁１１ａ，１１ａに送風ファン１７を挿入するための挿入孔を形成しなくて済み、また送風ファン１７の組付けやメンテナンス作業を行う時、当該送風ファン１７を脱穀機１１の前方側から容易に着脱することができるので、脱穀機１１の製作コストの低減と送風ファン１７の組付けやメンテナンス作業における作業性の向上が図れる。
【００１４】
更に、送風ファン１７の前側半分を覆うファンケース３２の左右両端に、ベルマウス状の内周縁３４ａを備える吸風口Ｂを形成したことによって、この吸風口Ｂから送風ファン１７の中心部に向けて吸引された選別風の一部が脱穀機１１の選別風路１８に入る直前、即ち図１に示す吸風口ＢのＫ部近傍から再び漏れ出すことを、前記ベルマウス状の内周縁３４ａによって防止することができ、脱穀機１１内への安定した選別風の供給がなされるようになる。
【００１５】
尚、半円状の吸風口Ｂから送風ファン１７の中心部に向けて吸引された選別風の一部が、上述の如く吸風口ＢのＫ部近傍から再び漏れ出すと、選別風路１８に供給される選別風Ａの風量が減少して選別性能が低下するので、図５に示すように、当該吸風口ＢのＫ部に対応する半円状の吸風口Ｂの下側半分に、ベルマウス状の内周縁３４ａを備えた縁部材３４をリベット３５を用いて鋲設することによってファンケース３２を構成してもよい。
【００１６】
ところで、図６にコンバイン４１に搭載した脱穀機１１を示すが、当該コンバイン４１の前処理部４２で刈取った穀稈を、掻込搬送装置や扱深搬送装置等の穀稈搬送装置４３から受継して脱穀機１１の扱室に供給するフイードチェン１２は、その上部に該フイードチェン４４と穀稈の株元側を挟持するレールガイド４５を備えている。
【００１７】
しかし、レールガイド４５の先端は前方に突出しており、特に圃場の枕地等でコンバイン４１を停車させて作業者が穀稈をフイードチェン１２へ投入しながら脱穀処理する手扱ぎ作業においては、当該レールガイド４５の先端に乗り上げた穀稈が他の穀稈と共に扱室に引き込まれ、これらの穀稈が扱胴に巻き付いての動力損失や切れ藁による受網の詰り等が発生するといった不具合を有していた。
【００１８】
そこで、図７及び図８に示すように、脱穀機１１の上部カバー４６の前端４６ａを円弧状に突出させると共に、側面視でＬ字状に屈曲形成したガイドプレート４７をレールガイド４５の先端に固設し、更にその先端部４７ａを脱穀機１１の側面カバー４８の前側と側面視で重合させることによって、当該レールガイド４５の先端に穀稈が乗り上げないように構成している。
【００１９】
また、図９から図１１に示すように、円弧状に突出させた脱穀機１１の上部カバー４６の前端４６ａよりも脱穀機１１の側面カバー４８の前端部４８ａを後退させた形状とし、この後退させた側面カバー４８の前端部４８ａに向けて、レールガイド４５の先端に固設すると共に側面視でＬ字状に屈曲形成したガイドプレート４７の先端部４７ａを延出し、更に当該ガイドプレート４７の先端部４７ａ側面と脱穀機１１の上部カバー４６側面との間隔Ｅが狭くなるように近接配置することによって、レールガイド４５の先端に穀稈が乗り上げないような構成にしてもよい。
【図面の簡単な説明】
【００２０】
【図１】脱穀機の側面図。
【図２】送風ファンの取り付け構成を示す斜視図。
【図３】ファンケースの側面図及び背面図（第１実施例）。
【図４】送風ファンとファンケースの構成を平断面図。
【図５】ファンケースの側面図及び背面図（第２実施例）。
【図６】コンバインの斜視図。
【図７】レールガイドの先端部の構造を示す斜視図（第１実施例）。
【図８】レールガイドの先端部の構造を示す側断面図（第１実施例）。
【図９】レールガイドの先端部の構造を示す斜視図（第２実施例）。
【図１０】レールガイドの先端部の構造を示す側面図（第２実施例）。
【図１１】図１０におけるＤ矢視図。
【符号の説明】
【００２１】
１１    脱穀機
１１ａ  側壁
１１ｂ  機枠
１３    扱室
１６    揺動選別体
１７    送風ファン
３２    ファンケース
３４ａ  ベルマウス状の内周縁
Ｂ      吸風口
【図１】
2006304672.tif 000003
【図２】
2006304672.tif 000004
【図３】
2006304672.tif 000005
【図４】
2006304672.tif 000006
【図５】
2006304672.tif 000007
【図６】
2006304672.tif 000008
【図７】
2006304672.tif 000009
【図８】
2006304672.tif 000010
【図９】
2006304672.tif 000011
【図１０】
2006304672.tif 000012
【図１１】
2006304672.tif 000013